(57)【要約】      （修正有）【課題】管体の開口孔に対するニップルの嵌入移動と管体の端部に対するスリーブの被覆移動をスムーズに同時進行させる。【解決手段】プッシャー３０で第一ホルダー１０と第二ホルダーを軸線方向へ相対的に接近移動させることにより、第一ホルダー１０に保持したニップルＣが、管体Ｂの開口孔Ｂ２に突き当たって部分的に嵌入し、管体Ｂの全体をスリーブＤへ向け押動する。ニップルＣが部分的に嵌入されることで管体Ｂの端部Ｂ１は拡径変形し、これがスリーブＤの内周面を通過する時には、管体Ｂの端部Ｂ１とスリーブＤの内周面との間に生じる摩擦抵抗が最大となって、スリーブＤに対して管体Ｂの端部Ｂ１が通過しつつ、管体Ｂの開口孔Ｂ２に対してニップルＣが更に嵌入される。それにより、管体Ｂの開口孔Ｂ２にニップルＣ全体が完全に嵌入され、管体Ｂの端部Ｂ１の外側にスリーブＤが被されて、これら三者が径方向へ重なり合い一体的に組み付けられる。【選択図】図４
2015128804.tif 000002
【特許請求の範囲】
【請求項１】
管体の端部の開口孔にニップルを嵌入し、該端部の外周にスリーブを被せる管締着用治具であって、
前記管体の前記開口孔に嵌入される前記ニップルを保持するように設けられる第一ホルダーと、
前記管体が軸線方向へ移動自在に挿通する前記スリーブを前記ニップルと同一軸線上に保持するように設けられる第二ホルダーと、
前記第一ホルダー又は前記第二ホルダーのいずれか一方か若しくは前記第一ホルダー及び前記第二ホルダーの両方を軸線方向へ相対的に接近移動させるプッシャーと、を備え、
前記第二ホルダーは、前記プッシャーによる前記第一ホルダー及び前記第二ホルダーの接近移動に伴って、前記スリーブが前記ニップルから離隔する方向へ移動不能に位置決めされる係止部を有し、
前記第一ホルダー及び前記第二ホルダーは、前記プッシャーによる前記第一ホルダー及び前記第二ホルダーの接近移動に伴い、前記ニップルを前記管体の前記開口孔に突き当てて嵌入しつつ、前記管体を前記スリーブへ向け押動して前記スリーブ内に前記管体の前記端部を嵌挿させるように配置されたことを特徴とする管締着用治具。
【請求項２】
前記ニップルが、前記管体の前記開口孔の開口端面及び前記スリーブの端面と軸線方向へそれぞれ対向し当接する鍔部を有することを特徴とする請求項１記載の管締着用治具。
【請求項３】
前記第二ホルダーが、前記スリーブの外周面においてその周方向の複数箇所と径方向へそれぞれ対向し移動不能に当接する筒受け部を有することを特徴とする請求項１又は２記載の管締着用治具。
【請求項４】
前記第二ホルダーが、前記スリーブの前記端面と連通する透視部を有することを特徴とする請求項２記載の管締着用治具。
【発明の詳細な説明】
【技術分野】
【０００１】
本発明は、例えばシャワーホースなどのような、管体の端部を他の機器の管接続口に接続するため、管体の端部の開口孔にニップルを嵌入し、この端部の外側にスリーブを被せて一体的に組み付けるために用いられる管締着用治具に関する。
【背景技術】
【０００２】
従来、この種の管締着用治具として、ホースニップルアダプターを固定保持するニップルアダプターホルダーと、ホースを把持するコレットチャックと、このコレットチャックをニップルアダプターホルダーと同一軸線上でホース上に掴締保持するようニップルアダプターホルダーから離間した位置で軸線方向に移動可能に設けられたコレットホルダーと、このコレットホルダーをニップルアダプターホルダーに向けて推進するコレットホルダー推進手段（操作レバー）と、を具えたホースジョイント挿入締着装置がある（例えば、特許文献１参照）。
ホースをその先端部においてホースニップルの長さ分に該当する箇所が、ホースニップルに向け突出するようにコレットチャックで挟み固定し、ホースの先端部にホースバンドを嵌着する。その後、操作レバーを手動で回動することにより、コレットホルダー及びコレットチャックを介してホース全体が、ホースニップルに向け押動され、予めホースバンドが外周に締着されたホースの先端部にホースニップルを挿入している。
【先行技術文献】
【特許文献】
【０００３】
【特許文献１】特開平０６−０５５４６３号公報
【発明の概要】
【発明が解決しようとする課題】
【０００４】
しかし乍ら、このような従来の管締着用治具では、ホースバンドの締着によって拡径変形不能なホースの先端部に対し、ホースニップルを手動操作で挿入（嵌入）するため、ホースの開口孔に対するホースニップルの挿入工程には過大な力が必要で、嵌入作業が困難となり、非力な女性や老人や子供などでは目的位置までホースニップルを完全に嵌入できず、不十分なままでホースが使用されることもあった。それにより、ホースの内圧上昇に伴ってホースの先端部からホースニップルが抜け易く、漏水などの事故に至るおそれがあった。
さらに、コレットチャックから不支持状態でホースニップルの長さ分だけ突出するホースの先端部にホースバンドが予め締着されるため、ホースバンドの重量でホースの先端部が垂れ下がり易く、それに伴ってホースの開口孔の軸心がホースニップルの軸心と位置ズレするおそれがあった。ホースの開口孔とホースニップルの軸心が僅かでも位置ズレすると、ホースニップルの突き当たりに伴い、ホースの先端部が負けて更に折り曲げてしまい、嵌入作業がより困難になるという問題があった。
特に、可撓性に優れたホースを用いた場合には、ホースの先端部の垂れ下がりが顕著に現れるため、ホースの先端部を手で持ち上げなければ、ホースニップルの軸心と一致させることができず、このような場合には、操作レバーによる嵌入作業で指などを挟むおそれがあって非常に危険であるという問題もあった。
そこで、これらの問題点を解決するため、ホースバンドの内径を若干大きくしてホースニップルを嵌入し易くすることが考えられる。しかし、この場合には、ホースバンドによる締め付け強度が低下し、ホースの内圧上昇に伴ってホースの先端部からホースニップルが抜け易くなるという問題があった。
【０００５】
本発明は、このような問題に対処することを課題とするものであり、管体の開口孔に対するニップルの嵌入移動と管体の端部に対するスリーブの被覆移動をスムーズに同時進行させること、などを目的とするものである。
【課題を解決するための手段】
【０００６】
このような目的を達成するために本発明は、管体の端部の開口孔にニップルを嵌入し、該端部の外周にスリーブを被せる管締着用治具であって、前記管体の前記開口孔に嵌入される前記ニップルを保持するように設けられる第一ホルダーと、前記管体が軸線方向へ移動自在に挿通する前記スリーブを前記ニップルと同一軸線上に保持するように設けられる第二ホルダーと、前記第一ホルダー又は前記第二ホルダーのいずれか一方か若しくは前記第一ホルダー及び前記第二ホルダーの両方を軸線方向へ相対的に接近移動させるプッシャーと、を備え、前記第二ホルダーは、前記プッシャーによる前記第一ホルダー及び前記第二ホルダーの接近移動に伴って、前記スリーブが前記ニップルから離隔する方向へ移動不能に位置決めされる係止部を有し、前記第一ホルダー及び前記第二ホルダーは、前記プッシャーによる前記第一ホルダー及び前記第二ホルダーの接近移動に伴い、前記ニップルを前記管体の前記開口孔に突き当てて嵌入しつつ、前記管体を前記スリーブへ向け押動して前記スリーブ内に前記管体の前記端部を嵌挿させるように配置されたことを特徴とする。
【発明の効果】
【０００７】
前述した特徴を有する本発明は、プッシャーで第一ホルダーと第二ホルダーを軸線方向へ相対的に接近移動させることにより、第一ホルダーに保持したニップルが、管体の開口孔に突き当たって部分的に嵌入し、管体の全体をスリーブへ向け押動する。これに伴って、管体の端部がスリーブの内周面を摺動する。ニップルが部分的に嵌入されることで管体の端部は拡径変形し、これがスリーブの内周面を通過する時には、管体の端部とスリーブの内周面との間に生じる摩擦抵抗が最大となって、スリーブに対して管体の端部が通過しつつ、管体の開口孔に対してニップルが更に嵌入される。それにより、管体の開口孔にニップル全体が完全に嵌入され、管体の端部の外側にスリーブが被されて、これら三者が径方向へ重なり合い一体的に組み付けられる。
したがって、管体の開口孔に対するニップルの嵌入移動と管体の端部に対するスリーブの被覆移動をスムーズに同時進行させることができる。
その結果、ホースバンドの締着によって拡径変形不能なホースの先端部に対しホースニップルを嵌入する従来のものに比べ、管体の開口孔に対するニップルの嵌入工程に過大な力が必要なく、非力な女性や老人や子供などによる手動操作であってもニップルを完全に嵌入可能となり、漏水などの事故を確実に防止することができて、安全性に優れる。
さらに、コレットチャックから不支持状態で突出するホースの先端部にホースバンドが予め締着される従来のものに比べ、第二ホルダーにスリーブが支持されるため、管体として可撓性に優れたホースを用いても、管体の端部がスリーブの重量によって垂れ下がることはなく、管体の開口孔とニップルの軸心を同一軸線上に維持することができて、作業性に優れる。
【図面の簡単な説明】
【０００８】
【図１】本発明の実施形態に係る管締着用治具の全体構成を示す説明図であり、（ａ）が組み付け前の平面図、（ｂ）が組み付け前の縦断正面図である。
【図２】組み付け前の斜視図である。
【図３】組み付け途中と組み付け後の説明図であり、（ａ）が組み付け途中の拡大平面図、（ｂ）が組み付け後の拡大平面図である。
【図４】組み付け途中と組み付け後の説明図であり、（ａ）が組み付け途中の縦断正面図、（ｂ）が組み付け後の縦断正面図である。
【図５】組み付け途中と組み付け後の説明図であり、（ａ）が組み付け途中の縮小斜視図、（ｂ）が組み付け後の縮小斜視図である。
【図６】ニップルの変形例を示す説明図であり、（ａ）が組み付け途中の縦断正面図、（ｂ）が組み付け後の縦断正面図である。
【図７】第二ホルダーの変形例を示す説明図であり、組み付け前の斜視図である。
【図８】第二ホルダーの変形例を示す説明図であり、（ａ）が組み付け途中の縮小斜視図、（ｂ）が組み付け後の縮小斜視図である。
【発明を実施するための形態】
【０００９】
以下、本発明の実施形態を図面に基づいて詳細に説明する。
本発明の実施形態に係る管締着用治具Ａは、図１〜図８に示すように、管体Ｂにおいて接続側の端部Ｂ１を他の機器の管接続口に接続するため、管体Ｂの端部Ｂ１に開穿される開口孔Ｂ２に、ニップルＣを嵌入し、さらに端部Ｂ１の外周に締め付け用のスリーブＤが被されることにより、管体ＢにニップルＣ及びスリーブＤを移動不能に締着して一体的に組み付ける工具である。
ニップルＣ及びスリーブＤは、管体Ｂの端部Ｂ１と他の機器の管接続口を接続するための部品（接続金具）である。
詳しく説明すると、管締着用治具Ａは、管体Ｂの開口孔Ｂ２に嵌入されるニップルＣを保持するように設けられる第一ホルダー１０と、管体Ｂが軸線方向へ移動自在に挿通するスリーブＤをニップルＣと同一軸線上に保持するように設けられる第二ホルダー２０と、第一ホルダー１０又は第二ホルダー２０のいずれか一方か若しくは第一ホルダー１０及び第二ホルダー２０の両方を軸線方向へ相対的に接近移動させるプッシャー３０と、を主要な構成要素として備えている。
必要に応じて、少なくとも第一ホルダー１０と第二ホルダー２０を、ニップルＣとスリーブＤ及び管体Ｂが同一軸線上に配置されるようにそれぞれ取り付けるベース４０を更に備えて、管締着用治具Ａを持ち運び可能にすることが好ましい。
【００１０】
管体Ｂは、可撓性を有する弾性変形可能な合成樹脂やゴムなどで形成され、図示されるような単層構造のものか、又は図示しないが複数層構造のものや多層構造ものなどを用いている。
複数層構造や多層構造の管体Ｂとしては、内層と外層との間に補強層としてブレード（補強糸）を螺旋状に巻き付け一体化した積層ホース（ブレードホース）や、不透明な内層と透明な外層との間に補強材として、少なくとも表面が金属色に光る断面矩形の帯状補強材と断面円形の線状補強材を螺旋状に巻き付けて一体化した螺旋補強ホース（フォーランホース）や、金属色に光る帯状材を有する補強体が螺旋状に巻着され、その外側全体に透明又は半透明な筒状層を被着して帯状材の金属色を外から透視可能にしたメタル調ホースなどが用いられる。
さらに、管体Ｂは、所定の長さに切断されることで、その端部Ｂ１の中央には、ニップルＣを嵌入する開口孔Ｂ２が開穿され、開口端面Ｂ３が露出している。
【００１１】
ニップルＣは、金属や硬質合成樹脂などの剛性材料で円筒状に形成され、管体Ｂの接続相手となる他の機器の管接続口の種類や管体Ｂのサイズなどに応じて、形状やサイズが異なる複数種類のニップルＣを用意している。例えば、管体Ｂがシャワーホースなどのような場合には、給水栓や湯水混合栓などの給水金具（図示しない）に接続するための給水具用ニップルと、シャワーヘッドなどの吐水器具（図示しない）に接続するための吐水具用ニップルが用意される。
これらのニップルＣは、その軸線方向先端側に、管体Ｂの開口孔Ｂ２に嵌入される挿入部Ｃ１を有している。
挿入部Ｃ１は、その外径が管体Ｂの内径よりも若干大径に形成され、管体Ｂの開口孔Ｂ２に嵌入することにより、管体Ｂの端部Ｂ１が膨張変形して、その内周面が挿入部Ｃ１の外周面を径方向へ圧接するように構成されている。さらに、挿入部Ｃ１の外周面を竹の子状などの環状凹凸部Ｃ２に形成することで、管体Ｂの開口孔Ｂ２から抜け難くすることが好ましい。
また、ニップルＣは、挿入部Ｃ１と逆方向の基端側に、挿入部Ｃ１よりも大径に形成される鍔部Ｃ３を有することが好ましい。鍔部Ｃ３は、管体Ｂの開口孔Ｂ２の開口端面Ｂ３と後述するスリーブＤの端面（他端面）Ｄ２と軸線方向へそれぞれ対向するように配置され、管体Ｂの開口孔Ｂ２にニップルＣの挿入部Ｃ１全体が完全に嵌入することで、鍔部Ｃ３を管体Ｂの開口端面Ｂ３及びスリーブＤの端面（他端面）Ｄ２に当接させるように構成されている。
【００１２】
スリーブＤは、金属や合成樹脂などの剛性材料で円筒状に形成され、管体Ｂの接続相手となる他の機器の管接続口の種類や管体Ｂのサイズなどに応じて、形状やサイズが異なる複数種類のスリーブＤを用意することもある。
これらのスリーブＤは、その軸線方向の両端に、後述するスリーブＤの係止部２１と軸線方向へ対向する環状の一端面Ｄ１と、ニップルＣの鍔部Ｃ３と軸線方向へ対向する環状の他端面Ｄ２と、管体Ｂの外周面と径方向へ対向する平滑な内周面Ｄ３と、を有し、その内径を予め管体Ｂの外径と略同じに設定している。スリーブＤにおいて他端面Ｄ２の開口縁には、ニップルＣから離隔するＸ方向と逆方向へ向かって徐々に拡径するテーパー面Ｄ２ａを形成することにより、ニップルＣの挿入部Ｃ１が嵌入された管体Ｂの端部Ｂ１をスリーブＤの内周面Ｄ３に向けて軸線方向へ入り込み易くすることが好ましい。
さらに、スリーブＤは、ニップルＣの挿入部Ｃ１が嵌入された管体Ｂの端部Ｂ１に対し、その外周面に沿って摺動することで、管体Ｂの端部Ｂ１の外側から被覆するように取り付けられる。この取り付け状態においてスリーブＤは、管体Ｂの端部Ｂ１を径方向へ締め付け、それにより、スリーブＤの内周面Ｄ３が管体Ｂの端部Ｂ１の外周面に圧接して、管体Ｂの端部Ｂ１の内周面をニップルＣの挿入部Ｃ１の外周面に密接させるとともに、ニップルＣの挿入部Ｃ１に対して軸線方向へ位置ズレ不能に固定するように構成されている。
【００１３】
第一ホルダー１０は、図１（ａ）（ｂ）及び図２などに示されるように、ニップルＣを軸線方向へ着脱自在で且つ径方向へ移動不能に保持するチャック部１１と、後述する第二ホルダー２０に保持したスリーブＤと同一軸線上に配置されるようにチャック部１１を支持するアダプター部１２と、を有している。
チャック部１１の具体例としては、図示例のように、ニップルＣの貫通孔Ｃ４の内径と略同じ外径で且つニップルＣの軸線方向への長さ寸法と略同じ長さの軸状に形成されている。軸状のチャック部１１がニップルＣの貫通孔Ｃ４に挿入されることで、ニップルＣを径方向へ位置ズレ不能に嵌合するように構成されている。
アダプター部１２の具体例としては、図示例のように、後述するベース４０に対して軸状のチャック部１１を設置している。
さらに、第一ホルダー１０には、管体Ｂのサイズ変更やニップルＣの種類変更に対応する調整手段を具備することが好ましい。
この調整手段の具体例としては、図示例のように、アダプター部１２が、軸状のチャック部１１と軸線方向へ着脱自在に係合する係合部位１２ａと、軸状のチャック部１１を軸線方向へ伸縮移動自在に支持する調整部位１２ｂと、を有している。管体ＢのサイズやニップルＣの種類に応じて、サイズが異なる複数種類のチャック部１１を予め用意しておく。管体Ｂのサイズ変更時やニップルＣの種類変更時には、対応するサイズのチャック部１１をアダプター部１２の係合部位１２ａにセットし、必要に応じて調整部位１２ｂを操作することにより、チャック部１１の突出量を調整している。
また、その他の例として図示しないが、チャック部１１及びアダプター部１２や前記調整手段を図示例以外の構造に変更することも可能である。
【００１４】
第二ホルダー２０は、図１（ｂ）及び図２などに示されるように、第一ホルダー１０に保持されたニップルＣと同一軸線上に配置されるように、管体Ｂを軸線方向へ移動自在に貫通するとともに、管体Ｂが軸線方向へ移動自在に挿通するスリーブＤを保持するものであり、スリーブＤをニップルＣから離隔するＸ方向へ移動不能に係止する係止部２１を有している。
係止部２１は、スリーブＤの一端面Ｄ１と軸線方向へ対向するように、スリーブＤの周方向へ連続させて凹状に形成されるか、又はスリーブＤの周方向へ断続的若しくは所定間隔毎に複数箇所それぞれ凹状に形成される。後述するプッシャー３０で第一ホルダー１０に保持されたニップルＣと第二ホルダー２０に保持されたスリーブＤが相対的に接近移動することにより、スリーブＤの一端面Ｄ１が係止部２１に当接し係止されて、ニップルＣから離隔するＸ方向へ移動不能にスリーブＤを位置決めするように構成されている。
さらに、第二ホルダー２０において係止部２１よりもニップルＣと接近する方向、すなわち、Ｘ方向と逆方向の端縁には、Ｘ方向と逆方向へ向かって徐々に拡径するテーパー状のガイド面２２を形成することにより、スリーブＤを係止部２１に向けて軸線方向へ挿入し易くすることが好ましい。
【００１５】
また、第二ホルダー２０は、図５（ａ）（ｂ）などに示されるように、スリーブＤの外周面Ｄ４においてその周方向の複数箇所と径方向へそれぞれ対向し当接する筒受け部２３を有することが好ましい。
筒受け部２３には、筒受け部２３と第二ホルダー２０の外部に亘って径方向へ管体Ｂ及びスリーブＤの出し入れを容易にするため、出し入れ口２４を開設することが好ましい。
さらに、第二ホルダー２０は、スリーブＤの他端面Ｄ２と連通する透視部２５を有することが好ましい。
なお、第二ホルダー２０には、筒受け部２３、出し入れ口２４又は透視部２５のいずれか一つ又は複数を設けるか、若しくは全てを設けなくてもよい。
【００１６】
プッシャー３０は、第一ホルダー１０又は第二ホルダー２０のいずれか一方に連設されるか、若しくは第一ホルダー１０及び第二ホルダー２０の両方に連設され、手動やアクチュエーターなどの駆動源（図示しない）により、第一ホルダー１０と第二ホルダー２０を軸線方向へ相対的に接近移動させて、第一ホルダー１０に保持されたニップルＣの挿入部Ｃ１が、管体Ｂの開口孔Ｂ２に突き当たって部分的に嵌入されるように構成している。
プッシャー３０の具体例としては、図示例のように、ニップルＣが保持される第一ホルダー１０に従動体３１を軸線方向へ往復動自在に連設し、従動体３１にリンク機構３２を介して手動の操作レバー３３が回動自在に連係されている。
図１（ｂ）及び図２や図４（ａ）及び図５（ａ）などに示されるように、帯状の平板からなるベース４０から離れる方向へ操作レバー３３が回動されることで、リンク機構３２及び従動体３１を経て第一ホルダー１０が第二ホルダー２０から離隔移動するように構成されている。
これと逆に、図４（ｂ）及び図５（ｂ）などに示されるように、操作レバー３３がベース４０に向けて回動されることで、第一ホルダー１０が第二ホルダー２０に向け接近移動するように構成されている。
また、その他の例として図示しないが、第二ホルダー２０に従動体３１を軸線方向へ往復動自在に連設し、従動体３１にリンク機構３２を介して手動の操作レバー３３が回動自在に連係されるように構成したり、第一ホルダー１０と第二ホルダー２０が同時に接近及び離隔移動するように構成したり、手動の操作レバー３３に代えてアクチュエーターなどの駆動源で相対的に接近移動させるなど、変更することも可能である。
【００１７】
そして、第一ホルダー１０及び第二ホルダー２０は、プッシャー３０による第一ホルダー１０に保持されたニップルＣと第二ホルダー２０に保持されたスリーブＤの相対的な接近移動に伴って、ニップルＣを管体Ｂの開口孔Ｂ２に突き当てて嵌入しつつ、第二ホルダー２０の係止部２１に位置決めされたスリーブＤへ向け管体Ｂの全体を押動してスリーブＤ内に管体Ｂの端部Ｂ１を嵌挿させるように配置されている。
詳しく説明すると、ニップルＣの挿入部Ｃ１を、管体Ｂの開口孔Ｂ２に突き当てて部分的に嵌入させ、これら両者の摩擦抵抗により管体Ｂの全体をスリーブＤへ向け押動する。ニップルＣの挿入部Ｃ１が部分的に嵌入されることで、拡径変形した管体Ｂの端部Ｂ１をスリーブＤ内に通過させ、その通過時に生じる摩擦抵抗を利用して、管体Ｂの開口孔Ｂ２にニップルＣの挿入部Ｃ１が更に嵌入されるようにしている。
【００１８】
このような本発明の実施形態に係る管締着用治具Ａによると、プッシャー３０によるニップルＣとスリーブＤの接近移動により、先ず、ニップルＣ（の挿入部Ｃ１）が、管体Ｂの開口孔Ｂ２に突き当たって部分的に嵌入し、これら両者の摩擦抵抗によりニップルＣ（の挿入部Ｃ１）の全体が完全に嵌入する前に、管体Ｂの全体をスリーブＤへ向け押動する。これに伴って、管体Ｂの端部Ｂ１の外周面がスリーブＤの内周面Ｄ３を摺動する。
これに続き、ニップルＣ（の挿入部Ｃ１）が部分的に嵌入されることで、管体Ｂの端部Ｂ１は拡径変形する。管体Ｂの拡径変形した端部Ｂ１が、スリーブＤのテーパー面Ｄ２ａに沿ってスムーズに入り込む。管体Ｂの拡径変形した端部Ｂ１の大部分が、スリーブＤの内周面Ｄ３を通過する時には、管体Ｂの端部Ｂ１の外周面とスリーブＤの内周面Ｄ３との間に生じる摩擦抵抗が最大となって、スリーブＤに対して管体Ｂの端部Ｂ１が通過しつつ、管体Ｂの開口孔Ｂ２に対してニップルＣ（の挿入部Ｃ１）が更に嵌入される。
それにより、最後には、管体Ｂの開口孔Ｂ２にニップルＣ（の挿入部Ｃ１）の全体が完全に嵌入され、管体Ｂの端部Ｂ１の外側にスリーブＤが被されて、これら三者が径方向へ重なり合い一体的に組み付けられる。
したがって、管体Ｂの開口孔Ｂ２に対するニップルＣの嵌入移動と管体Ｂの端部Ｂ１に対するスリーブＤの被覆移動をスムーズに同時進行させることができる。
その結果、管体Ｂの開口孔Ｂ２に対するニップルＣの嵌入工程に過大な力が必要なく、非力な女性や老人や子供などによる手動操作であってもニップルＣを完全に嵌入可能となり、漏水などの事故を確実に防止することができて、安全性に優れる。
さらに、第二ホルダー２０にスリーブＤが支持されるため、管体Ｂとして可撓性に優れたホースを用いても、管体Ｂの端部Ｂ１がスリーブＤの重量によって垂れ下がることはなく、管体Ｂの開口孔Ｂ２とニップルＣの軸心を同一軸線上に維持することができて、作業性に優れる。
【００１９】
特に、ニップルＣが、管体Ｂの開口孔Ｂ２の開口端面Ｂ３及びスリーブＤの端面（他端面）Ｄ２と軸線方向へそれぞれ対向し当接する鍔部Ｃ３を有する場合には、プッシャー３０による第一ホルダー１０と第二ホルダー２０の接近移動に伴い、管体Ｂの開口孔Ｂ２にニップルＣ（の挿入部Ｃ１）全体が完全に嵌入された後に、鍔部Ｃ３が管体Ｂの開口孔Ｂ２の開口端面Ｂ３に当接する。その後も、鍔部Ｃ３によって管体Ｂの開口孔Ｂ２の開口端面Ｂ３が押動され、最終的に鍔部Ｃ３が、第二ホルダー２０の係止部２１で移動不能に位置決めされたスリーブＤの端面（他端面）Ｄ２と当接するまでニップルＣ（の挿入部Ｃ１）が嵌入し、これら両者が当接したところで、組み付け作業が完了する。
したがって、管体Ｂの端部Ｂ１の外周面をニップルＣで部分的に露出することなく完全に被覆することができる。
その結果、管体Ｂの端部Ｂ１に対するニップルＣの抜け強度を最大にすることができ、安全性の更なる向上が図れる。
【実施例１】
【００２０】
次に、本発明の各実施例を図面に基づいて説明する。
この実施例１は、図１〜図５に示すように、第二ホルダー２０が、スリーブＤの外周面Ｄ４においてその周方向の複数箇所と径方向へそれぞれ対向し移動不能に当接する筒受け部２３を有するものである。
筒受け部２３は、スリーブＤの外周面Ｄ４とその周方向へ少なくとも３箇所以上と径方向へそれぞれ対向し移動不能に当接するように構成されている。
さらに、第二ホルダー２０には、スリーブＤの他端面Ｄ２と連通する透視部２５を形成している。
なお、実施例１では、シャワーホースなどの管体Ｂの開口孔Ｂ２に対し、ニップルＣとして給水栓や湯水混合栓などの給水金具に接続するための給水具用ニップルＣａを嵌入する場合を示している。この場合には、第一ホルダー１０のチャック部１１として、給水具用ニップルＣａと対応する長さの給水具用チャック部１１ａが用いられる。
【００２１】
図１〜図５に示される例では、筒受け部２３を複数の部材で構成している。その具体例として、筒受け部２３は、スリーブＤの外周面Ｄ４においてその一半部（下半部）と対向する半円弧状の第一受け部位２３ａと、スリーブＤの外周面Ｄ４においてその他半部（上半部）と対向する半円弧状の第二受け部位２３ｂと、を有している。
詳しく説明すると、図４（ａ）（ｂ）及び図５（ａ）（ｂ）などに示されるように、下側に配置される第一受け部位２３ａと上側に配置される第二受け部位２３ｂとが、スリーブＤの外周面Ｄ４のほぼ全周とそれぞれ当接して、スリーブＤを径方向へ移動不能に保持している。
また、筒受け部２３の他の例として図示しないが、半円弧状の第一受け部位２３ａ及び第二受け部位２３ｂに代えて、第一受け部位２３ａ又は第二受け部位２３ｂのいずれか一方と、単数若しくは複数の点状受け部位（図示しない）とを組み合わせたり、複数の円弧状受け部位（図示しない）を所定間隔毎に配置したり、複数の点状受け部位（図示しない）を所定間隔毎に配置したり、円弧状受け部位と点状受け部位を複数組み合わせたり変更して、スリーブＤの外周面Ｄ４を少なくとも３点支持することも可能である。
【００２２】
筒受け部２３には、出し入れ口２４が開設されて、出し入れ口２４を通って筒受け部２３と第二ホルダー２０の外部に亘って径方向へ管体Ｂ及びスリーブＤを出し入れ自在にしている。
出し入れ口２４の具体例として、図１（ｂ）及び図２と図４（ａ）（ｂ）及び図５（ａ）（ｂ）などに示されるように、下側の第一受け部位２３ａと上側の第二受け部位２３ｂの基端同士に亘って蝶番などの回転支点２３ｃを連設し、回転支点２３ｃを中心として上側の第二受け部位２３ｂが径方向へ開閉移動自在に連結され、上側の第二受け部位２３ｂを上方へ回動することで、出し入れ口２４が開口するように構成している。
さらに、下側の第一受け部位２３ａに対して上側の第二受け部位２３ｂの閉め忘れを防止するために、回転支点２３ｃにバネなどの弾性体（図示しない）を配設するなどして、上側の第二受け部位２３ｂが下側の第一受け部位２３ａに向け常時付勢され、第二受け部位２３ｂの閉動状態を維持している。
また、その他の例として図示しないが、下側の第一受け部位２３ａと上側の第二受け部位２３ｂの先端同士に亘って、着脱自在なロック手段を連設し、このロック手段で第二受け部位２３ｂの閉動状態を維持することも可能である。
【００２３】
さらに、図１〜図５に示される例では、透視部２５として、下側の第一受け部位２３ａにおける方向への長さ寸法よりも、上側の第二受け部位２３ｂにおけるＸ方向への長さ寸法を短くすることで、テーパー状のガイド面２２の上側部分が開口され、手動の操作レバー３３を持った作業者からスリーブＤの他端面Ｄ２の近傍が目視できるように配置している。
また、その他の例として図示しないが、上側に配置される第二受け部位２３ｂに透視部２５として窓を貫通開穿することも可能である。
【００２４】
このような本発明の実施例１に係る管締着用治具Ａによると、第二ホルダー２０において複数の筒受け部２３が、スリーブＤの外周面Ｄ４においてその周方向の複数箇所（少なくとも３箇所以上）にそれぞれ当接して支持するため、プッシャー３０による第一ホルダー１０と第二ホルダー２０の接近移動に伴い、ニップルＣ（の挿入部Ｃ１）が管体Ｂの開口孔Ｂ２に突き当たって嵌入し、且つ第二ホルダー２０の係止部２１に位置決めされたスリーブＤへ向け管体Ｂの全体を押動しても、スリーブＤ及び管体Ｂが径方向へ移動不能に保持される。
したがって、管体Ｂの開口孔Ｂ２に対するニップルＣの嵌入移動と管体Ｂの端部Ｂ１に対するスリーブＤの被覆移動を径方向へ位置ズレ不能で且つスムーズに同時進行させることができる。
その結果、管体Ｂを径方向へ位置ズレせずに安定させることができるので、作業性の更なる向上が図れるという利点がある。
【００２５】
さらに、第二ホルダー２０が、スリーブＤの端面Ｄ２と連通する透視部２５を有する場合には、第二ホルダー２０に透視部２５を作業者に向けて配置することにより、作業者側から透視部２５を透してスリーブＤの端面（他端面）Ｄ２の近傍が目視可能になる。
したがって、管体Ｂの端部Ｂ１に対するスリーブＤの被覆移動を作業者が目視で確認することができる。
その結果、作業状況を把握しながら組み付け作業を行えて使用勝手がよいという利点がある。
【実施例２】
【００２６】
この実施例２は、図６（ａ）（ｂ）に示すように、ニップルＣの変形例であり、シャワーホースなどの管体Ｂの開口孔Ｂ２に対し、ニップルＣとしてシャワーヘッドなどの吐水器具に接続するための吐水具用ニップルＣｂを嵌入する場合を示している点が、図１〜図５に示した実施例１とは異なり、それ以外の構成は図１〜図５に示した実施例１と同じものである。
吐水具用ニップルＣｂは、挿入部Ｃ１と逆方向の基端側に鍔部Ｃ３を挟んで環状凹部Ｃ５が形成され、環状凹部Ｃ５には、シャワーヘッドなどの吐水器具（図示しない）の内周面と密着してシールするためにＵ字形の環状パッキンＣ６が装着されている。そのため、吐水具用ニップルＣｂの軸線方向への長さ寸法は、給水具用ニップルＣａの軸線方向への長さ寸法よりも長尺に形成されている。
これに伴い、給水具用ニップルＣａの組み付け作業が終了した後に、吐水具用ニップルＣｂの組み付け作業を行う際には、第一ホルダー１０のチャック部１１として、給水具用ニップルＣａと対応する長さの給水具用チャック部１１ａから、吐水具用ニップルＣｂと対応する長さの吐水具用チャック部１１ｂに交換している。
【００２７】
このような本発明の実施例２に係る管締着用治具Ａによると、ニップルＣが給水具用ニップルＣａに代えて吐水具用ニップルＣｂであっても、前述したように、プッシャー３０による第一ホルダー１０と第二ホルダー２０の接近移動に伴って、管体Ｂの開口孔Ｂ２にニップルＣの挿入部Ｃ１全体が完全に嵌入された後に、鍔部Ｃ３が管体Ｂの開口孔Ｂ２の開口端面Ｂ３に当接し、最終的に鍔部Ｃ３がスリーブＤの他端面Ｄ２と当接するまでニップルＣの挿入部Ｃ１が嵌入する。
したがって、管体Ｂの端部Ｂ１の外周面をニップルＣで部分的に露出することなく完全に被覆することができるという利点がある。
【実施例３】
【００２８】
この実施例３は、図７及び図８（ａ）（ｂ）に示すように、第二ホルダー２０の変形例であり、筒受け部２３を一つの部材で構成した点が、図１〜図５に示した実施例１とは異なり、それ以外の構成は図１〜図５に示した実施例１と同じものである。
その具体例として、筒受け部２３は、スリーブＤの外周面Ｄ４においてその約３／４部と対向する略Ｃ字状の受け部位２３ｄを有している。
図７及び図８（ａ）（ｂ）に示される例では、筒受け部２３の側方に向け出し入れ口２４が開設されて、筒受け部２３と第二ホルダー２０の外部に亘って径方向へ管体Ｂ及びスリーブＤの出し入れを容易にしている。
また、その他の例として図示しないが、筒受け部２３の斜め下方か又は斜め上方に向け出し入れ口２４を開設することも可能である。
【００２９】
このような本発明の実施例３に係る管締着用治具Ａによると、第二ホルダー２０の筒受け部２３が一つの部材で構成されるため、筒受け部２３が複数の部材で構成される図１〜図５に示した実施例１よりも、第二ホルダー２０の筒受け部２３の構造が簡素化されて強度が増し、部品点数が減少してコストの低減化が図れるという利点がある。
【００３０】
なお、前示実施例では、シャワーホースなどの管体Ｂの開口孔Ｂ２に対し、ニップルＣとして給水具用ニップルＣａや吐水具用ニップルＣｂが嵌入される場合を示したが、これに限定されず、シャワーホースとは別の用途に用いられる管体Ｂの場合には、他の機器の管接続口に接続するための別の形状のニップルＣを嵌入してもよい。
【符号の説明】
【００３１】
Ａ  管締着用治具                        １０  第一ホルダー
２０  第二ホルダー                      ２１  係止部
２３  筒受け部                          ２５  透視部
３０  プッシャー                        Ｂ  管体
Ｂ１  端部                              Ｂ２  開口孔
Ｂ３  開口端面                          Ｃ  ニップル
Ｄ  スリーブ                            Ｄ２  端面（他端面）
Ｄ４  外周面
【図１】
2015128804.tif 000003
【図２】
2015128804.tif 000004
【図３】
2015128804.tif 000005
【図４】
2015128804.tif 000006
【図５】
2015128804.tif 000007
【図６】
2015128804.tif 000008
【図７】
2015128804.tif 000009
【図８】
2015128804.tif 000010